(57)【要約】【課題】ワークに対するシーラーノズルの位置を数量的に算定して塗布ロボットを精度よくティーチングできる車両のシーラー塗布装置及びそのティーチング方法を提供する。【解決手段】シーラーノズル３を有するシーラーガン１と、ワークＷ上に照射する光線を発生する光源装置４と、ワーク上に照射された光線画像を撮像する撮像カメラ５と、それらを装着できる塗布ロボット２とを備え、ヘミング加工の重ね合わせ部Ｗ３にシーラーＳを塗布する車両のシーラー塗布装置１０である。撮像カメラは、ワーク面に対して垂直方向Ｑから撮像し、光源装置は、撮像カメラの撮像方向に対して、傾斜方向から照射する。シーラーノズルの吐出口３１１は、吐出方向Ｊが撮像方向Ｋと同一方向又は反対方向に形成されている。撮像カメラが撮像する光線画像の基準位置に対する水平方向への移動量に基づいて、重ね合わせ部に対する吐出口の垂直方向の距離を算定する演算装置７を備える。【選択図】図１
2015205251.tif 000002
【特許請求の範囲】
【請求項１】
先端部に吐出口を形成したシーラーノズルを有するシーラーガンと、ワーク上に照射する光線を発生する光源装置と、当該光源装置により前記ワーク上に照射された光線画像を撮像する撮像カメラと、前記シーラーガンと前記光源装置と前記撮像カメラとを装着できる塗布ロボットとを備え、ワークに形成したヘミング加工の重ね合わせ部に、前記吐出口からシーラーを塗布する車両のシーラー塗布装置であって、
前記撮像カメラは、ワーク面に対して垂直方向から撮像し、前記光源装置は、前記撮像カメラの撮像方向に対して、傾斜方向から前記光線を前記ワーク上に照射すること、
前記吐出口は、前記シーラーの吐出方向が前記撮像方向と同一方向又は反対方向に形成されたこと、
前記撮像カメラが撮像する前記光線画像の基準位置から前記ワーク面に対して平行な方向へ移動する移動量に基づいて、前記重ね合わせ部に対する前記吐出口の垂直方向の距離を算定する演算装置を備えることを特徴とする車両のシーラー塗布装置。
【請求項２】
請求項１に記載された車両のシーラー塗布装置において、
前記光源装置は、前記ワーク上にそれぞれ傾斜角を有して照射する２つのスリット光線を発生し、両スリット光線が前記撮像カメラの撮像範囲内で交叉することを特徴とする車両のシーラー塗布装置。
【請求項３】
請求項２に記載された車両のシーラー塗布装置において、
前記演算装置は、前記撮像カメラが撮像したスリット光線画像における交叉角に基づいて、前記重ね合わせ部に対する前記吐出口の吐出角を算定することを特徴とする車両のシーラー塗布装置。
【請求項４】
請求項２又は請求項３に記載された車両のシーラー塗布装置において、
前記演算装置は、前記撮像カメラが撮像した前記ワークの外縁からスリット光線画像の交叉位置までの距離に基づいて、前記シーラーノズルと前記ワークの外縁との隙間を算定することを特徴とする車両のシーラー塗布装置。
【請求項５】
請求項１乃至請求項４のいずれか１項に記載された車両のシーラー塗布装置において、
前記シーラーノズルの先端部は、略Ｌ字状又は略Ｊ字状に形成され、前記吐出口は、前記シーラーガンに対峙する方向に向けて開口されていることを特徴とする車両のシーラー塗布装置。
【請求項６】
請求項１乃至請求項５のいずれか１項に記載された車両のシーラー塗布装置において、
前記演算装置の算定値を表示するとともに、各種算定値毎の判定結果と全体の総合判定結果とを表示するモニター装置を備えることを特徴とする車両のシーラー塗布装置。
【請求項７】
請求項６に記載された車両のシーラー塗布装置のティーチング方法であって、
前記演算装置の算定値に対する良品条件を構成する範囲を定める閾値を登録する第１工程と、
前記塗布ロボットを操作して、前記シーラーノズルの位置をティーチングポイント近傍に移動する第２工程と、
前記モニター装置に表示される前記各種算定値と判定結果とを確認しながら前記シーラーノズルの位置を調整する第３工程と、
前記モニター装置に表示される前記総合判定結果が良好となった前記シーラーノズルの位置で、ティーチングデータを登録する第４工程とを備えることを特徴とする車両のシーラー塗布装置のティーチング方法。
【発明の詳細な説明】
【技術分野】
【０００１】
本発明は、例えば、車両用ドアのヘミング加工による重ね合わせ部にシーラーを塗布する車両のシーラー塗布装置及びそのティーチング方法に関する。
【背景技術】
【０００２】
一般に、車両用ドアの外縁は、アウターパネルの外縁とインナーパネルの外縁とを重ね合わせた上で、アウターパネルの外縁に立設する外周フランジ先端を、インナーパネルの外縁を挟んでアウターパネル裏面側に折り返して閉じるヘミング加工が行われている。図８に示すように、先端にシーラーノズル１０３を形成したシーラーガン１０１を、塗布ロボット１０２のアーム先端に取り付けたシーラー塗布装置１００を備え、車両用ドア（ワークＷ）のヘミング加工された重ね合わせ部に、防水性や防錆性等を高めるべく、自動でシーラーを塗布している。そのため、シーラーを吐出するシーラーノズル１０３の位置を、ワークＷのヘミング加工された重ね合わせ部に対応するように、塗布ロボット１０２に対して正確に教示（ティーチング）する必要がある。
【０００３】
この塗布ロボットのティーチングに関連して、例えば、特許文献１には、塗装ノズルと被塗装面との間の距離を所定距離に調整する操作を容易にする塗装用ロボットのティーチング装置が開示されている。
上記ティーチング装置２００は、図９に示すように、塗装ノズル２０１から被塗装面２０２への塗料塗布直線経路Ｌ０は、被塗装面２０２に対して直角に位置づけられるとともに、スリット光Ｌ１１、Ｌ２１を発生する２つの光源装置２０３、２０４が塗料塗布直線経路Ｌ０に対して光学的に対称に塗装ノズル２０１に装着され、且つ両光源装置２０３、２０４の光学的方向が所定角度θをもって構成されている。また、両光源装置２０３、２０４からのスリット光Ｌ１１、Ｌ２１は、被塗装面２０２において十字状に交叉する。また、テレビカメラ２０５が、塗料塗布直線経路Ｌ０上に配置され、テレビカメラ２０５の信号を受信回路２０６で受信し、モニターテレビ２０７に表示する。
上記ティーチング装置２００によれば、スリット光Ｌ１１、Ｌ２１が被塗装面２０２において十字状に交叉することを、テレビカメラ２０５によって撮像し、モニターテレビ２０７で確認しながら、光源装置２０３、２０４を装着した塗装ノズル２０１を所定位置に調整することができる。
【先行技術文献】
【特許文献】
【０００４】
【特許文献１】実公平４−１８７８９号公報
【発明の概要】
【発明が解決しようとする課題】
【０００５】
しかしながら、特許文献１のティーチング装置２００は、スリット光Ｌ１１、Ｌ２１が被塗装面２０２において十字状に交叉することを、モニターテレビ２０７で確認することはできても、その時における塗装ノズル２０１と被塗装面２０２との距離を算定することができない。
そのため、図１０に示すように、光源装置２０３、２０４やテレビカメラ２０５（図９参照）を配置することが困難な位置にあるヘミング加工の重ね合わせ部Ｗ３にシーラー塗布する場合、塗布ロボット１０２を精度よくティーチングすることができないという問題があった。
また、特許文献１のティーチング装置２００は、塗装ノズル２０１と被塗装面２０２との位置関係を数量的に記録できないので、被塗装面２０２の形状変更に対するティーチング修正の際、初めから塗布結果を確認して不良部位を補正することなど面倒なティーチング操作が必要となる問題があった。
【０００６】
本発明は、上記問題点を解決するためになされたものであり、ワークに対するシーラーノズルの位置を数量的に算定して塗布ロボットを精度よくティーチングできる車両のシーラー塗布装置及びそのティーチング方法を提供することを目的とする。
【課題を解決するための手段】
【０００７】
上記課題を解決するために、本発明に係る車両のシーラー塗布装置及びそのティーチング方法は、次のような構成を有している。
（１）先端部に吐出口を形成したシーラーノズルを有するシーラーガンと、ワーク上に照射する光線を発生する光源装置と、当該光源装置により前記ワーク上に照射された光線画像を撮像する撮像カメラと、前記シーラーガンと前記光源装置と前記撮像カメラとを装着できる塗布ロボットとを備え、ワークに形成したヘミング加工の重ね合わせ部に、前記吐出口からシーラーを塗布する車両のシーラー塗布装置であって、
前記撮像カメラは、ワーク面に対して垂直方向から撮像し、前記光源装置は、前記撮像カメラの撮像方向に対して、傾斜方向から前記光線を前記ワーク上に照射すること、
前記吐出口は、前記シーラーの吐出方向が前記撮像方向と同一方向又は反対方向に形成されたこと、
前記撮像カメラが撮像する前記光線画像の基準位置から前記ワーク面に対して平行な方向へ移動する移動量に基づいて、前記重ね合わせ部に対する前記吐出口の垂直方向の距離を算定する演算装置を備えることを特徴とする。ここで、光源装置は、光線を照射できる光源であれば特に限定する必要はないが、光直進性の優れたレーザー光照射装置が好ましい。光線は、撮像カメラが撮像できる光線であれば、可視光線でも、非可視光線でもよい。また、光線は、スポット状の光線でも、スリット状の光線でも良い。
【０００８】
本発明においては、撮像カメラは、ワーク面に対して垂直方向から撮像し、光源装置は、撮像カメラの撮像方向に対して、傾斜方向から光線をワーク上に照射するので、塗布ロボットを操作して、ワーク面に対して垂直方向へ撮像カメラを移動させると、当該撮像カメラの移動量に比例して撮像した光線画像の位置がワーク面に対して平行な方向へ移動する。
また、吐出口は、シーラーの吐出方向が撮像方向と同一方向に形成されたので、ワーク面に対して垂直方向へ移動する撮像カメラの移動量は、シーラーを塗布する重ね合わせ部に対して吐出口が垂直方向へ移動する移動量に相当する。
また、撮像カメラが撮像する光線画像の基準位置からワーク面に対して平行な方向へ移動する移動量に基づいて、重ね合わせ部に対する吐出口の垂直方向の距離を算定する演算装置を備えるので、演算装置が算定した上記距離をシーラー塗布の最適値（所定値）に合致させるように塗布ロボットをティーチングすることができる。なお、シーラー塗布の最適値（所定値）は、ティーチングする前にシーラー塗布テストを行い、そのテスト結果から設定する。
よって、本発明によれば、ワークに対するシーラーノズルの位置を数量的に算定して塗布ロボットを精度よくティーチングできる車両のシーラー塗布装置を提供することができる。
【０００９】
なお、本シーラー塗布装置は、シーラーガンを塗布ロボットから取り外した状態でティーチングすれば、シーラーノズルをワークに干渉させる心配がなく、迅速なティーチングが可能となるが、必ずしもシーラーガンを塗布ロボットから取り外す必要はない。
また、本シーラー塗布装置には、演算装置が算定した上記距離（例えば、吐出口と重ね合わせ部との隙間）を表示する表示装置を設けて、上記距離を作業者が確認しながら手動で塗布ロボットを位置補正しても良いが、当該表示装置を設けず、演算装置が算定した上記距離がシーラー塗布の最適値（所定値）となるように塗布ロボットが自動で位置補正しても良い。
【００１０】
（２）（１）に記載された車両のシーラー塗布装置において、
前記光源装置は、前記ワーク上にそれぞれ傾斜角を有して照射する２つのスリット光線を発生し、両スリット光線が前記撮像カメラの撮像範囲内で交叉することを特徴とする。
【００１１】
本発明においては、光源装置は、ワーク上にそれぞれ傾斜角を有して照射する２つのスリット光線を発生し、両スリット光線が撮像カメラの撮像範囲内で交叉するので、演算装置は、撮像カメラが撮像したスリット光線画像における交叉位置の基準位置からワーク面に対して平行な方向へ移動する移動量に基づいて、重ね合わせ部に対する吐出口の垂直方向の距離を算定することができる。この場合、演算装置は、撮像カメラが撮像する光線画像をスリット光線画像の交叉位置で点画像として特定することができるので、重ね合わせ部に対する吐出口の垂直方向の距離を、より一層精度よく算定することができる。
また、撮像カメラが撮像したスリット光線画像における交叉位置は、重ね合わせ部に対する吐出口の垂直方向の距離が所定値に対して長い場合と短い場合とで、基準位置に対してそれぞれ反対向きへ離間する。そのため、撮像カメラが撮像したスリット光線画像の交叉位置が、基準位置に対して、どちらへ離間しているかを判断することによって、塗布ロボットのティーチングを迅速に行うことができる。
よって、本発明によれば、ワークに対するシーラーノズルの位置を数量的に算定して塗布ロボットをより一層精度よく、迅速にティーチングできる車両のシーラー塗布装置を提供することができる。
【００１２】
なお、この場合においても、本シーラー塗布装置には、演算装置が算定した上記距離（例えば、吐出口と重ね合わせ部との隙間）を表示する表示装置を設けて、上記距離を作業者が確認しながら手動で塗布ロボットを位置補正しても良いが、当該表示装置を設けず、演算装置が算定した上記距離がシーラー塗布の最適値（所定値）となるように塗布ロボットが自動で位置補正しても良い。
【００１３】
（３）（２）に記載された車両のシーラー塗布装置において、
前記演算装置は、前記撮像カメラが撮像したスリット光線画像における交叉角に基づいて、前記重ね合わせ部に対する前記吐出口の吐出角を算定することを特徴とする。
【００１４】
本発明においては、演算装置は、撮像カメラが撮像したスリット光線画像における交叉角に基づいて、重ね合わせ部に対する吐出口の吐出角を算定するので、重ね合わせ部に対する吐出口の吐出角を適正範囲に保持しながら、塗布ロボットをより一層精度よくティーチングすることができる。その結果、例えば、シーラーがワークからはみ出すようなシーラー塗布不良等を未然に防止することができる。
【００１５】
なお、この場合においても、本シーラー塗布装置には、演算装置が算定した上記吐出角を表示する表示装置を設けて、上記吐出角を作業者が確認しながら手動で塗布ロボットを位置補正しても良いが、当該表示装置を設けず、演算装置が算定した上記距離がシーラー塗布の最適値（所定値）となるように塗布ロボットが自動で位置補正しても良い。
【００１６】
（４）（２）又は（３）に記載された車両のシーラー塗布装置において、
前記演算装置は、前記撮像カメラが撮像した前記ワークの外縁からスリット光線画像の交叉位置までの距離に基づいて、前記シーラーノズルと前記ワークの外縁との隙間を算定することを特徴とする。
【００１７】
本発明においては、演算装置は、撮像カメラが撮像したワークの外縁からスリット光線画像の交叉位置までの距離に基づいて、シーラーノズルとワークの外縁との隙間を算定するので、シーラーノズルとワークの外縁との隙間を適正範囲に保持しながら、塗布ロボットをより一層精度よくティーチングすることができる。その結果、例えば、シーラーノズルがワークと干渉して変形や損傷等することを未然に防止することができる。
【００１８】
なお、この場合においても、本シーラー塗布装置には、演算装置が算定した上記隙間を表示する表示装置を設けて、上記隙間を作業者が確認しながら手動で塗布ロボットを位置補正しても良いが、当該表示装置を設けず、演算装置が算定した上記隙間がシーラー塗布の最適値（所定値）となるように塗布ロボットが自動で位置補正しても良い。
【００１９】
（５）（１）乃至（４）のいずれか１つに記載された車両のシーラー塗布装置において、
前記シーラーノズルの先端部は、略Ｌ字状又は略Ｊ字状に形成され、前記吐出口は、前記シーラーガンに対峙する方向に向けて開口されていることを特徴とする。
【００２０】
本発明においては、シーラーノズルの先端部は、略Ｌ字状又は略Ｊ字状に形成され、吐出口は、シーラーガンに対峙する方向に向けて開口されているので、シーラーノズルの吐出口とシーラーガンとをワークを挟んで対向する位置に配置しながら、シーラー塗布することができる。そのため、本発明に係る車両のシーラー塗布装置は、ワークを車両のボディーに取り付けた状態で、ワークに対して車両外方にシーラーガンを配置し、車両内方からシーラー塗布することができ、例えば、電着塗装後で中塗り前の工程にて、シーラー塗布することができる。
よって、本発明によれば、電着塗装の直前に行われるシャワー洗浄に先立ち、シーラーを加熱によって予備硬化（プレキュア）する必要がなく、予備硬化（プレキュア）に対応する高価なシーラー（プレキュアシーラー）を用いず、安価なシーラーを用いることができる。また、予備硬化のための加熱設備や、加熱エネルギーを省略でき、シーラーコストの大幅な低減が可能となる。
【００２１】
（６）（１）乃至（５）のいずれか１つに記載された車両のシーラー塗布装置において、
前記演算装置の算定値を表示するとともに、各種算定値毎の判定結果と全体の総合判定結果とを表示するモニター装置を備えることを特徴とする。
【００２２】
本発明においては、演算装置の算定値を表示するとともに、各種算定値毎の判定結果と全体の総合判定結果とを表示するモニター装置を備えるので、作業者は、モニター装置に表示される算定値と、各種算定値毎の判定結果とを洩れなく確認することができる。そのため、作業者は、塗布ロボットのティーチングミスを未然に防止することができる。また、モニター装置は、全体の総合判定結果を表示するので、先ず全体の総合判定結果を優先して確認することによって、迅速なティーチングが可能となる。
【００２３】
（７）（６）に記載された車両のシーラー塗布装置のティーチング方法であって、
前記演算装置の算定値に対する良品条件を構成する範囲を定める閾値を登録する第１工程と、
前記塗布ロボットを操作して、前記シーラーノズルの位置をティーチングポイント近傍に移動する第２工程と、
前記モニター装置に表示される前記各種算定値と判定結果とを確認しながら前記シーラーノズルの位置を調整する第３工程と、
前記モニター装置に表示される前記総合判定結果が良好となった前記シーラーノズルの位置で、ティーチングデータを登録する第４工程とを備えることを特徴とする。
【００２４】
本発明においては、演算装置の算定値に対する良品条件を構成する範囲を定める閾値を登録する第１工程を備えるので、シーラーノズルの位置が、シーラー塗布の良品条件を構成する範囲内か否かを数量的に明確にすることができる。
また、塗布ロボットを操作して、シーラーノズルの位置をティーチングポイント近傍に移動する第２工程と、モニター装置に表示される各種算定値と判定結果とを確認しながらシーラーノズルの位置を調整する第３工程とを備えるので、作業者から見えない位置であっても、ヘミング加工の重ね合わせ部にシーラー塗布するシーラーノズルの位置を、モニター装置に表示される各種算定値と判定結果とに基づいて調整することができる。
また、モニター装置に表示される総合判定結果が良好となったシーラーノズルの位置で、ティーチングデータを登録する第４工程を備えるので、塗布ロボットのティーチングミスを未然に防止すると同時に、精度の良いティーチングが可能となる。
また、第４工程にて、ティーチングデータが登録されるので、ワークの形状変更に伴うティーチング修正の際、登録したティーチングデータを利用することによって、初めから塗布結果を確認して不良部位を位置補正することなど面倒なティーチング操作を回避することができる。
よって、本発明によれば、作業者の熟練を要することなく、塗布ロボットを迅速かつ精度よくティーチングすることができる。
【発明の効果】
【００２５】
本発明によれば、ワークに対するシーラーノズルの位置を数量的に算定して塗布ロボットを精度よくティーチングできる車両用シーラー塗布装置及びそのティーチング方法を提供することができる。
【図面の簡単な説明】
【００２６】
【図１】本発明の実施形態に係る車両のシーラー塗布装置の斜視図である。
【図２】図１に示す光源装置がワーク表面上に照射する光線画像の詳細平面図である。
【図３】図１に示すモニター装置のモニター表示例である。
【図４】光源装置から対象物に１つのスリット光線を照射する模式図である。
【図５】図４に示すＣ視において、光源装置の移動量と対象物における光線画像の移動量との関係図である。
【図６】十字形状に交叉するスリット光線おいて、光源装置の移動量と対象物における光線画像の移動量との関係図である。
【図７】図１に示す車両のシーラー塗布装置におけるティーチング方法を表す工程図である。
【図８】従来のシーラー塗布装置の模式的斜視図である。
【図９】特許文献１に記載された塗布用ロボットのティーチング装置の原理図である。
【図１０】作業者から見えない位置に形成されたヘミング加工の重ね合わせ部にシーラー塗布する断面図である。
【発明を実施するための形態】
【００２７】
次に、本発明の実施形態に係る車両のシーラー塗布装置及びそのティーチング方法について、図面を参照して詳細に説明する。はじめに、本実施形態に係る車両のシーラー塗布装置における全体構造を説明し、その後、当該シーラー塗布装置において、光線画像を用いたシーラーノズルの位置データを算定するメカニズムとティーチング方法を説明する。最後に、本実施形態における作用効果を説明する。
【００２８】
＜シーラー塗布装置の全体構造＞
まず、本実施形態に係る車両のシーラー塗布装置の全体構造を、図１〜図３を用いて説明する。図１に、本発明の実施形態に係る車両のシーラー塗布装置の斜視図を示す。図２に、図１に示す光源装置がワーク表面上に照射する光線画像の詳細平面図を示す。図３に、図１に示すモニター装置のモニター表示例を示す。
【００２９】
図１、図２に示すように、本実施形態に係る車両のシーラー塗布装置１０は、ワーク（車両用ドア）Ｗが車両ＶのボディーＢに取り付けられた状態で、ワークＷの表面側にシーラーガン１を配置して、ワークＷの裏面側からヘミング加工の重ね合わせ部Ｗ３にシーラーＳを塗布する装置である。なお、ワークＷは、車両用ドアに限らない。例えば、ボンネットやトランクなど、ボディーＢに取り付けられる各種蓋物が該当する。
【００３０】
車両のシーラー塗布装置１０は、ワーク表面側に配置したシーラーガン１と、当該シーラーガン１を着脱可能に装着する塗布ロボット２とを備えている。シーラーガン１には、円筒状のパイプで形成されたシーラーノズル３が取り付けられている。シーラーノズル３は、先端部３１が略Ｌ字状に形成され、ワークＷとボディーＢとで形成する狭い隙間に挿入することができる。先端部３１は、略Ｊ字状に形成してもよい。シーラーノズル３の先端部３１には、シーラーガン１に対峙する方向に向けて開口された吐出口３１１が形成されている。吐出口３１１から吐出するシーラーＳは、ヘミング加工の重ね合わせ部Ｗ３及びその周辺に塗布される。なお、図１は、塗布ロボット２からシーラーガン１及びシーラーノズル３を取り外した状態を示している。
【００３１】
塗布ロボット２は、車両外方に配置された多関節型のロボットである。塗布ロボット２のアーム先端には、２つのレーザー光照射装置４１、４２（光源装置４に相当）と、１つの撮像カメラ５とが、略矩形状の取付板６を介して着脱可能に装着されている。レーザー光照射装置４１、４２は、ワーク表面Ｗ１にそれぞれ傾斜角α１、α２を有して照射する２つのレーザー光線ＬＢ１、ＬＢ２（光線、スリット光線に相当）を発生する。傾斜角α１、α２は、互いに略同一である。両レーザー光線ＬＢ１、ＬＢ２は、所定幅のスリット光線であり、ワーク表面Ｗ１上で略直角に交叉して、十字形状のスリット光線画像Ｇ１、Ｇ２（光線画像に相当）を形成する。スリット光線画像Ｇ１、Ｇ２の交叉位置Ｇ３は、シーラーノズル３の吐出口３１１からシーラーＳを塗布するヘミング加工の重ね合わせ部Ｗ３及びその周辺に対応する位置に形成されている。破線で示すスリット光線画像Ｇ１１、Ｇ２１は、レーザー光照射装置４１、４２が所定位置に配置されているときワーク表面Ｗ１上に形成される光線画像であり、基準位置Ｇ３１をワーク表面Ｗ１上に特定する。これらの詳細については、後述する。
【００３２】
撮像カメラ５は、例えば、ＣＣＤカメラであって、レーザー光線ＬＢ１、ＬＢ２によって形成されるワーク表面Ｗ１上のスリット光線画像Ｇ１、Ｇ２を撮像する。撮像カメラ５の撮像範囲は、スリット光線画像Ｇ１、Ｇ２と、シーラー塗布の対象となるワーク表面Ｗ１と、ワークＷの外縁Ｗ２とを含む範囲（図２のＡ視範囲）である。撮像カメラ５は、ワーク表面Ｗ１に対して垂直方向（矢印Ｑの方向）から撮像し、レーザー光照射装置４１、４２が照射する２つのレーザー光線ＬＢ１、ＬＢ２の２等分線上に配置されている。撮像カメラ５の撮像方向（矢印Ｋの方向）は、シーラーノズル３の吐出口３１１におけるシーラーＳの吐出方向（矢印Ｊの方向）と反対方向に形成されている。なお、撮像カメラ５の撮像方向（矢印Ｋの方向）と吐出口３１１の吐出方向（矢印Ｊの方向）とが、互いに同一方向に形成されてもよい。
【００３３】
塗布ロボット２には、撮像カメラ５が撮像するスリット光線画像Ｇ１、Ｇ２の撮像データを演算処理する演算装置７が電気的に接続されている。
演算装置７は、撮像カメラ５が撮像したスリット光線画像Ｇ１、Ｇ２における交叉位置Ｇ３の基準位置Ｇ３１からワーク表面Ｗ１に対して平行な方向へ移動する移動量Ｌ３に基づいて、シーラーノズル３の吐出口３１１とヘミング加工の重ね合わせ部Ｗ３との隙間ｄ１を算定する。スリット光線画像Ｇ１、Ｇ２における基準位置Ｇ３１は、シーラー塗布の良品条件を構成するシーラーノズル３の最適位置に対応するスリット光線画像Ｇ１１、Ｇ２１の交叉位置である。シーラーノズル３の最適位置は、ティーチングする前にシーラー塗布テストを複数回行い、そのテスト結果から設定する。
【００３４】
シーラー塗布の良品条件には、吐出口３１１と重ね合わせ部Ｗ３との隙間ｄ１に加えて、重ね合わせ部Ｗ３に対する吐出口３１１の吐出角γが含まれる。前述のように、撮像カメラ５の撮像方向（矢印Ｋの方向）は、シーラーノズル３の吐出口３１１におけるシーラーＳの吐出方向（矢印Ｊの方向）と反対方向に形成されている。そのため、撮像カメラ５の撮像方向（矢印Ｋの方向）が、ワーク表面Ｗ１に対して面直であるときには、スリット光線画像Ｇ１、Ｇ２における交叉角βは直角となり、重ね合わせ部Ｗ３に対する吐出口３１１の吐出角γも直角となる。ところが、撮像カメラ５の撮像方向（矢印Ｋの方向）が、ワーク表面Ｗ１に対して傾斜するときには、スリット光線画像Ｇ１、Ｇ２における交叉角βは鋭角又は鈍角となり、重ね合わせ部Ｗ３に対する吐出口３１１の吐出角γも鋭角又は鈍角となる。ここで、重ね合わせ部Ｗ３に対する吐出口３１１の吐出角γは、スリット光線画像Ｇ１、Ｇ２における交叉角βと比例して変化する。この比例関係を利用して、演算装置７は、撮像カメラ５が撮像したスリット光線画像Ｇ１、Ｇ２における交叉角βに基づいて、重ね合わせ部Ｗ３に対する吐出口３１１の吐出角γを算定する。そのため、スリット光線画像Ｇ１、Ｇ２における交叉角βを確認することによって、重ね合わせ部Ｗ３に対する吐出口３１１の吐出角γを適正範囲に保持しながら、塗布ロボット２をより一層精度よくティーチングすることができる。
【００３５】
また、演算装置７は、撮像カメラ５が撮像したワークＷの外縁Ｗ２からスリット光線画像Ｇ１、Ｇ２の交叉位置Ｇ３までの距離ｄ２に基づいて、シーラーノズル３とワークＷの外縁Ｗ２との隙間ｄ３を算定する。そのため、演算装置７が演算した隙間ｄ３を確認することによって、シーラーノズル３とワークＷの外縁Ｗ２との隙間ｄ３を適正範囲に保持しながら、塗布ロボット２をより一層精度よくティーチングすることができる。その結果、例えば、シーラーノズル３がワークＷと干渉して変形や損傷等することを未然に防止することができる。
【００３６】
また、演算装置７には、モニター装置８が電気的に接続されている。モニター装置８は、図３に示すように、演算装置７が算定する算定値を表示するとともに、各種算定値毎の判定結果と全体の総合判定結果とを表示する。具体的には、モニター装置８は、吐出口３１１と重ね合わせ部Ｗ３との隙間ｄ１（例えば、４．２ｍｍ）とその判定結果である「ＯＫ」の表示欄８１と、シーラーノズル３とワークＷの外縁Ｗ２との隙間ｄ３（例えば、０．８ｍｍ）とその判定結果である「ＯＫ」の表示欄８２と、重ね合わせ部Ｗ３に対する吐出口３１１の吐出角γ（例えば、９０°）とその判定結果である「ＯＫ」の表示欄８３と、各種算定結果を総合した装置全体の判定結果である「総合判定ＯＫ」の表示欄８４とを備え、モニター装置８によってそれらを表示することができる。
【００３７】
＜位置データの算定メカニズム＞
次に、本実施形態に係る車両のシーラー塗布装置１０において、撮像カメラが撮像する光線画像の画像データからシーラーノズルの位置データを算定するメカニズムを、図４〜図６を用いて説明する。図４に、光源装置から対象物に１つのスリット光線を照射する模式図を示す。図５に、図４に示すＣ視において、光源装置の移動量と対象物における光線画像の移動量との関係図を示す。図５（ａ）は、光源装置を対象物から所定距離だけ離間した位置に配置した状態を示し、図５（ｂ）は、図５（ａ）に対して、光源装置を対象物と近接する方向へ移動した状態を示し、図５（ｃ）は、図５（ａ）に対して、光源装置を対象物と離間する方向へ移動した状態を示す。図６は、十字形状に交叉する２つのスリット光線おいて、光源装置の移動量と対象物における光線画像の移動量との関係図を示す。
【００３８】
まず、説明を単純化するため、図４に示すように、光源装置が１つのスリット光線を照射する場合で説明する。ワーク表面Ｗ１に対して所定の距離だけ離間した位置に１つのスリット光線ＬＢをワーク表面Ｗ１に向けて照射する光源装置４を配置する。スリット光線ＬＢの光軸は、ワーク表面Ｗ１に対して傾斜角αを形成している。スリット光線ＬＢの光線幅は、光軸に対して左右対称に広がるように形成され、光線幅が先端側へ行くにしたがって徐々に拡張されているが、一定幅で形成されていてもよい。
【００３９】
図５（ａ）に示すように、光源装置４ａは、ワーク表面Ｗ１に対して所定位置Ｒに光軸が矢印Ｌの方向へ傾斜して配置されている。その所定位置Ｒに配置された光源装置４ａの前端から傾斜角αで照射されたスリット光線ＬＢａは、位置Ｋ０でワーク表面Ｗ１上に光線画像を形成する。
【００４０】
次に、図５（ｂ）に示すように、光源装置４ｂを、図５（ａ）に示す所定位置Ｒよりワーク表面Ｗ１に移動量Ｄ１だけ近接する方向（矢印Ｑ１の方向）へ移動させる。矢印Ｑ１の方向は、ワーク表面Ｗ１に対して垂直方向である。この移動位置に配置された光源装置４ｂの前端から傾斜角αで照射されたスリット光線ＬＢｂは、位置Ｋ１でワーク表面Ｗ１上に光線画像を形成する。スリット光線ＬＢｂの位置Ｋ１は、スリット光線ＬＢａの位置Ｋ０より下方（矢印Ｐ１の方向）へ移動量Ｌ１だけ移動する。ここで、矢印Ｐ１の方向は、ワーク表面Ｗ１に対して平行な方向であり、光線画像の移動量Ｌ１は、光源装置の移動量Ｄ１と比例する。
【００４１】
また、図５（ｃ）に示すように、光源装置４ｃを、図５（ａ）に示す所定位置Ｒよりワーク表面Ｗ１に移動量Ｄ２だけ離間する方向（矢印Ｑ２の方向）へ移動させる。矢印Ｑ２の方向は、ワーク表面Ｗ１に対して垂直方向である。この移動位置に配置された光源装置４ｃの前端から傾斜角αで照射されたスリット光線ＬＢｃは、位置Ｋ２でワーク表面Ｗ１上に光線画像を形成する。スリット光線ＬＢｃの位置Ｋ２は、スリット光線ＬＢａの位置Ｋ０より上方（矢印Ｐ２の方向）へ移動量Ｌ２だけ移動する。ここで、矢印Ｐ１の方向は、ワーク表面Ｗ１に対して平行な方向であり、光線画像の移動量Ｌ２は、光源装置の移動量Ｄ２と比例する。
【００４２】
このように、ワーク表面Ｗ１に対して垂直方向へ光源装置４を移動させると、当該光源装置４の移動量Ｄ１、Ｄ２に比例してワーク表面Ｗ１上の光線画像の位置Ｋ１、Ｋ２が平行方向へ移動する。
前述したように、光源装置４と撮像カメラ５とは、塗布ロボット２のアーム先端に装着されている。また、撮像カメラ５は、ワーク表面Ｗ１に対して垂直方向から撮像し、吐出口３１１は、シーラーＳの吐出方向Ｊが撮像方向と反対方向に形成されている。そのため、ワーク表面Ｗ１に対して垂直方向へ移動する光源装置４及び撮像カメラ５の移動量Ｄ１、Ｄ２は、シーラーＳを塗布する重ね合わせ部Ｗ３に対して吐出口３１１が垂直方向へ移動する移動量に相当する。
【００４３】
よって、演算装置７は、撮像カメラ５が撮像する光線画像の基準位置（Ｋ０）からワーク表面Ｗ１に対して平行な方向へ移動する移動量Ｌ１、Ｌ２に基づいて、重ね合わせ部Ｗ３に対する吐出口３１１の垂直方向の距離を算定することができる。その結果、演算装置７が算定した上記距離をシーラー塗布の最適値（所定値）に合致させるように塗布ロボット２をティーチングすることができる。
【００４４】
次に、図６に示すように、十字形状に交叉する２つのスリット光線を照射する場合で説明する。図１、図２に示す本実施形態の光源装置４（レーザー光照射装置４１、４２）が、この場合に該当する。
２つのスリット光線は、図１に示すレーザー光照射装置４１、４２が照射するレーザー光線ＬＢ１、ＬＢ２である。レーザー光線ＬＢ１、ＬＢ２は、ワーク表面Ｗ１上にそれぞれ傾斜角α１、α２をなして照射する。ワーク表面Ｗ１上には、十字形状のスリット光線画像Ｇ１、Ｇ２が形成される。破線で示す十字形状のスリット光線画像Ｇ１１、Ｇ２１は、光源装置４（レーザー光照射装置４１、４２）が所定位置に配置されているとき、ワーク表面Ｗ１上に形成される光線画像である。
【００４５】
実線で示すスリット光線画像Ｇ１、Ｇ２は、光源装置４（レーザー光照射装置４１、４２）を所定位置からワーク表面Ｗ１に移動量Ｄ３だけ近接する方向へ移動させたとき、ワーク表面上に形成される光線画像である。図６では、便宜上、光源装置４（レーザー光照射装置４１、４２）が所定位置に配置されたときのワーク表面Ｗ１１を仮想線で示している。実線で示すスリット光線画像Ｇ１、Ｇ２おける交叉位置Ｇ３は、仮想線で示すワーク表面Ｗ１１上に形成される基準位置Ｇ３１に対して、矢印Ｐ１の方向へ平行移動する。基準位置Ｇ３１から交叉位置Ｇ３までの移動量Ｌ３は、図５で示す場合と同様に、光源装置４（レーザー光照射装置４１、４２）が垂直方向（矢印Ｑ３の方向）へ移動する移動量Ｄ３に比例する。
【００４６】
よって、演算装置７は、撮像カメラ５が撮像するスリット光線画像Ｇ１、Ｇ２の基準位置Ｇ３１からワーク表面Ｗ１に対して平行な方向へ移動する移動量Ｌ３に基づいて、重ね合わせ部Ｗ３に対する吐出口３１１の垂直方向の距離（例えば、隙間ｄ１）を算定することができる。その結果、演算装置７が算定した上記距離をシーラー塗布の最適値（所定値）に合致させるように塗布ロボット２をティーチングすることができる。
【００４７】
なお、光源装置４（レーザー光照射装置４１、４２）を所定位置からワーク表面Ｗ１と離間する方向へ移動させたとき、ワーク表面上に形成されるスリット光線画像Ｇ１、Ｇ２は、矢印Ｐ２の方向へ平行移動する。そのため、スリット光線画像Ｇ１、Ｇ２の交叉位置Ｇ３が、基準位置Ｇ３１に対して、どちらの方向へ離間しているかを確認することによって、重ね合わせ部Ｗ３に対する吐出口３１１の垂直方向の距離（例えば、隙間ｄ１）のシーラー塗布の最適値（所定値）に対する大小が素早く判定できるので、塗布ロボット２のティーチングを迅速に行うことができる。
【００４８】
＜シーラー塗布装置のティーチング方法＞
次に、本実施形態に係る車両のシーラー塗布装置におけるティーチング方法を、図７を用いて説明する。図７に、図１に示す車両のシーラー塗布装置におけるティーチング方法を表す工程図を示す。
【００４９】
図７に示すように、シーラー塗布装置におけるティーチング方法は、以下に説明する４つの工程（Ｓ１〜Ｓ４）を備えている。
第１工程Ｓ１は、演算装置７の算定値に対するシーラー塗布の良品条件を構成する範囲を定める閾値を登録する工程である。演算装置７の算定値には、吐出口３１１と重ね合わせ部Ｗ３との隙間ｄ１、重ね合わせ部Ｗ３に対する吐出口３１１の吐出角γ、シーラーノズル３とワークＷの外縁Ｗ２との隙間ｄ３などが該当する。例えば、隙間ｄ１は４．０〜６．０ｍｍ程度がシーラー塗布の良品条件であるので、閾値として、４．０ｍｍと６．０ｍｍを登録する。この閾値を登録することによって、シーラーノズル３の位置がシーラー塗布の良品条件を構成する範囲内か否かを、数量的に明確にすることができる。
【００５０】
次に、第２工程Ｓ２は、塗布ロボット２を操作して、シーラーノズル３の位置をティーチングポイント近傍に移動する工程である。ティーチングポイントには、シーラー塗布するときにシーラーノズルが移動する軌跡上にある変化点等が該当する。ティーチングポイントが作業者から見えない位置にある場合でも、撮像カメラの撮像範囲内となるティーチングポイント近傍に移動すればよいので、作業者は、塗布ロボット２を簡単に操作することができる。
【００５１】
次に、第３工程Ｓ３は、モニター装置８に表示される各種算定値と判定結果とを確認しながらシーラーノズル３の位置を調整する工程である。各種算定値と判定結果は、モニター装置８の表示欄８１、８２、８３に表示され、作業者から同時に確認することができる。シーラーノズル３が作業者から見えない位置にあっても、作業者は、ヘミング加工の重ね合わせ部Ｗ３にシーラー塗布するシーラーノズル３の位置を、モニター装置８に表示される各種算定値と判定結果とに基づいて簡単に調整することができる。
【００５２】
次に、第４工程Ｓ４は、モニター装置８に表示される総合判定結果が良好となったシーラーノズル３の位置で、ティーチングデータを登録する工程である。ティーチングデータは、塗布ロボットの記憶装置に登録する。これによって、塗布ロボットのティーチングミスを未然に防止すると同時に、迅速かつ精度の良いティーチングが可能となる。また、第４工程にて、ティーチングデータが登録されるので、ワークＷの形状変更に伴うティーチング修正の際、登録したティーチングデータを利用することによって、初めから塗布結果を確認して不良部位を位置補正することなど面倒なティーチング操作を回避することができる。
よって、本実施形態に係る車両のシーラー塗布装置におけるティーチング方法によれば、作業者の熟練を要することなく、塗布ロボット２を迅速かつ精度よくティーチングすることができる。
【００５３】
なお、本シーラー塗布装置１０は、シーラーガン１を塗布ロボット２から取り外した状態でティーチングすれば、シーラーノズル３をワークＷに干渉させる心配がなく、迅速なティーチングが可能となるが、必ずしもシーラーガン１を塗布ロボット２から取り外す必要はない。
また、本シーラー塗布装置１０には、演算装置７が算定した上記距離（例えば、吐出口と重ね合わせ部との隙間ｄ１）を表示する表示装置を設けて、上記距離を作業者が確認しながら手動で塗布ロボット２を位置補正しても良いが、当該表示装置を設けず、演算装置７が算定した上記距離がシーラー塗布の最適値（所定値）となるように塗布ロボット２が自動で位置補正しても良い。
【００５４】
＜作用効果＞
以上、詳細に説明したように、本実施形態に係る車両のシーラー塗布装置１０によれば、撮像カメラ５は、ワーク表面Ｗ１に対して垂直方向（矢印Ｑの方向）から撮像し、光源装置４（レーザー光照射装置４１、４２）は、撮像カメラ５の撮像方向（矢印Ｋの方向）に対して、傾斜方向（矢印Ｌの方向）からスリット状のレーザー光線ＬＢ１、ＬＢ２をワーク表面Ｗ１上に照射するので、塗布ロボット２を操作して、ワーク表面Ｗ１に対して垂直方向へ撮像カメラ５を移動させると、当該撮像カメラ５の移動量に比例して撮像したスリット光線画像Ｇ１、Ｇ２の位置がワーク表面Ｗ１に対して平行な方向へ移動する。
また、吐出口３１１は、シーラーＳの吐出方向（矢印Ｊの方向）が撮像方向（矢印Ｋの方向）と反対方向（又は同一方向）に形成されたので、ワーク表面Ｗ１に対して垂直方向へ移動する撮像カメラ５の移動量は、シーラーＳを塗布する重ね合わせ部Ｗ３に対して吐出口３１１が垂直方向へ移動する移動量に相当する。
また、撮像カメラ５が撮像するスリット光線画像Ｇ１、Ｇ２の基準位置からワーク表面Ｗ１に対して平行な方向へ移動する移動量に基づいて、重ね合わせ部Ｗ３に対する吐出口３１１の垂直方向の距離（例えば、隙間ｄ１）を算定する演算装置７を備えるので、演算装置７が算定した上記距離をシーラー塗布の最適値（所定値）に合致させるように塗布ロボット２をティーチングすることができる。
【００５５】
また、本実施形態によれば、光源装置４（レーザー光照射装置４１、４２）は、ワーク表面Ｗ１上にそれぞれ傾斜角α１、α２を有して照射する２つのスリット状のレーザー光線ＬＢ１、ＬＢ２を発生し、両レーザー光線ＬＢ１、ＬＢ２が撮像カメラ５の撮像範囲（図２のＡ視の範囲）内で交叉するので、演算装置７は、撮像カメラ５が撮像したスリット光線画像Ｇ１、Ｇ２における交叉位置Ｇ３の基準位置Ｇ３１からワーク表面Ｗ１に対して平行な方向へ移動する移動量Ｌ３に基づいて、重ね合わせ部Ｗ３に対する吐出口３１１の垂直方向の距離（例えば、隙間ｄ１）を算定することができる。この場合、演算装置７は、撮像カメラ５が撮像する光線画像をスリット光線画像Ｇ１、Ｇ２の交叉位置Ｇ３で点画像として特定することができるので、重ね合わせ部Ｗ３に対する吐出口３１１の垂直方向の距離を、より一層精度よく算定することができる。
また、撮像カメラ５が撮像したスリット光線画像Ｇ１、Ｇ２における交叉位置Ｇ３は、重ね合わせ部Ｗ３に対する吐出口３１１の垂直方向の距離が所定値に対して長い場合と短い場合とで、基準位置Ｇ３１に対してそれぞれ反対向き（矢印Ｐ１、Ｐ２の向き）へ離間する。そのため、撮像カメラ５が撮像したスリット光線画像Ｇ１、Ｇ２の交叉位置Ｇ３が、基準位置Ｇ３１に対して、どちらの方向へ離間しているかを判断することによって、塗布ロボット２のティーチングを迅速に行うことができる。
【００５６】
また、本実施形態によれば、演算装置７は、撮像カメラ５が撮像したスリット光線画像Ｇ１、Ｇ２における交叉角βに基づいて、重ね合わせ部Ｗ３に対する吐出口３１１の吐出角γを算定するので、重ね合わせ部Ｗ３に対する吐出口３１１の吐出角γを適正範囲に保持しながら、塗布ロボット２をより一層精度よくティーチングすることができる。その結果、例えば、シーラーＳがワークＷからはみ出すようなシーラー塗布不良等を未然に防止することができる。
【００５７】
また、本実施形態によれば、演算装置７は、撮像カメラ５が撮像したワークＷの外縁Ｗ２からスリット光線画像Ｇ１、Ｇ２の交叉位置Ｇ３までの距離ｄ２に基づいて、シーラーノズル３とワークＷの外縁Ｗ２との隙間ｄ３を算定するので、シーラーノズル３とワークＷの外縁Ｗ２との隙間ｄ３を適正範囲に保持しながら、塗布ロボット２をより一層精度よくティーチングすることができる。その結果、例えば、シーラーノズル３がワークＷと干渉して変形や損傷等することを未然に防止することができる。
【００５８】
また、本実施形態によれば、シーラーノズル３の先端部３１は、略Ｌ字状に形成され、吐出口３１１は、シーラーガン１に対峙する方向に向けて開口されているので、シーラーノズル３の吐出口３１１とシーラーガン１とをワークＷを挟んで対向する位置に配置しながら、シーラー塗布することができる。そのため、本シーラー塗布装置１０は、ワークＷを車両ＶのボディーＢに取り付けた状態で、ワークＷに対して車両外方にシーラーガン１を配置し、車両内方からシーラー塗布することができ、例えば、電着塗装後で中塗り前の工程にて、シーラー塗布することができる。
よって、本シーラー塗布装置１０によれば、電着塗装の直前に行われるシャワー洗浄に先立ち、シーラーＳを加熱によって予備硬化（プレキュア）する必要がなく、予備硬化（プレキュア）に対応する高価なシーラー（プレキュアシーラー）を用いず、安価なシーラーＳを用いることができる。また、予備硬化のための加熱設備や、加熱エネルギーを省略でき、シーラーコストの大幅な低減が可能となる。
【００５９】
また、本実施形態によれば、演算装置７の算定値を表示するとともに、各種算定値毎の判定結果と全体の総合判定結果とを表示するモニター装置８を備えるので、作業者は、モニター装置８に表示される算定値と、各種算定値毎の判定結果とを洩れなく確認することができる。そのため、作業者は、塗布ロボット２のティーチングミスを未然に防止することができる。また、モニター装置８は、全体の総合判定結果を表示するので、先ず全体の総合判定結果を優先して確認することによって、迅速なティーチングが可能となる。
【００６０】
また、他の実施形態に係る車両のシーラー塗布装置１０のティーチング方法によれば、演算装置７の算定値に対する良品条件を構成する範囲を定める閾値を登録する第１工程Ｓ１を備えるので、シーラーノズル３の位置が、シーラー塗布の良品条件を構成する範囲内か否かを数量的に明確にすることができる。
また、塗布ロボット２を操作して、シーラーノズル３の位置をティーチングポイント近傍に移動する第２工程Ｓ２と、モニター装置８に表示される各種算定値と判定結果とを確認しながらシーラーノズル３の位置を調整する第３工程Ｓ３とを備えるので、作業者から見えない位置であっても、ヘミング加工の重ね合わせ部Ｗ３にシーラー塗布するシーラーノズル３の位置を、モニター装置８に表示される各種算定値と判定結果とに基づいて調整することができる。
また、モニター装置８に表示される総合判定結果が良好となったシーラーノズル３の位置で、ティーチングデータを登録する第４工程Ｓ４を備えるので、塗布ロボット２のティーチングミスを未然に防止すると同時に、精度の良いティーチングが可能となる。また、第４工程Ｓ４にて、ティーチングデータが登録されるので、ワークＷの形状変更に伴うティーチング修正の際、登録したティーチングデータを利用することによって、初めから塗布結果を確認して不良部位を補正することなど面倒なティーチング操作を回避することができる。よって、作業者の熟練を要することなく、塗布ロボット２を迅速かつ精度よくティーチングすることができる。
【００６１】
＜変形例＞
上述した実施形態は、本発明の要旨を変更しない範囲で変更することができる。
（１）本実施形態では、シーラーノズル３の先端部３１は、略Ｌ字状に形成され、吐出口３１１は、シーラーガン１に対峙する方向に向けて開口されているが、必ずしも、これに限ることはない。
例えば、シーラーノズルの先端部は、直線状に形成され、吐出口は、ヘミング加工の重ね合わせ部に対峙する方向に向けて開口されていても良い。この場合、撮像カメラの撮像方向は、シーラーの塗布方向と同一となる。
（２）また、本実施形態では、２つの光源装置４（レーザー光線照射装置４１、４２）が塗布ロボット２に装着されているが、必ずしも、これに限ることはない。
例えば、１つの光源装置を塗布ロボットに装着するだけでも良い。
【産業上の利用可能性】
【００６２】
本発明は、例えば、車両用ドアのヘミング加工による重ね合わせ部にシーラーを塗布する車両のシーラー塗布装置及びそのティーチング方法に利用できる。
【符号の説明】
【００６３】
１                      シーラーガン
２                      塗布ロボット
３                      シーラーノズル
４                      光源装置
５                      撮像カメラ
７                      演算装置
８                      モニター装置
１０                    シーラー塗布装置
３１                    先端部
４１、４２              レーザー光照射装置（光源装置）
３１１                  吐出口
α、α１、α２          傾斜角
β                      交叉角
γ                      吐出角
Ｂ                      ボディー
ｄ１                    隙間（距離）
ｄ２                    距離
ｄ３                    隙間
Ｄ１、Ｄ２、Ｄ３        移動量
Ｇ１、Ｇ２              スリット光線画像（光線画像）
Ｇ３                    交叉位置
Ｇ３１                  基準位置
Ｊ                      吐出方向
Ｋ                      撮像方向
Ｌ                      傾斜方向
ＬＢ                    スリット光線（光線）
ＬＢ１、ＬＢ２          レーザー光線（光線、スリット光線）
Ｌ１、Ｌ２、Ｌ３        移動量
Ｑ                      垂直方向
Ｓ                      シーラー
ｄ１、ｄ３、γ          算定値
Ｓ１                    第１工程
Ｓ２                    第２工程
Ｓ３                    第３工程
Ｓ４                    第４工程
Ｖ                      車両
Ｗ                      ワーク
Ｗ１                    ワーク表面
Ｗ２                    外縁
Ｗ３                    重ね合わせ部
【図１】
2015205251.tif 000003
【図２】
2015205251.tif 000004
【図３】
2015205251.tif 000005
【図４】
2015205251.tif 000006
【図５】
2015205251.tif 000007
【図６】
2015205251.tif 000008
【図７】
2015205251.tif 000009
【図８】
2015205251.tif 000010
【図９】
2015205251.tif 000011
【図１０】
2015205251.tif 000012